(57)【要約】【課題】容易に端子を個別に取り外すことが出来ると共に、更に、複数の端子を容易に一括して取り外すこともできるコネクタを提供する。【解決手段】本発明のコネクタ１０は、ハウジング本体１８の前面２８側から端子１１を受け入れ、且つ、左右方向に沿って配列された複数の端子収納室１３と、端子収納室１３に挿入される端子１１を係止する複数の係止部１４とを有する。また、ハウジング本体１８の後面２９には、端子１１を個別に抜き取る際に工具１２が挿入される第１開口部１５が形成されており、ハウジング本体１８の右側面３２には、複数の端子１１を一括して抜き取る際に工具１２が挿入される第２開口部１６が形成されている。更に、係止部１４には、第１開口部１５に相対する第１面取部１９と、第２開口部１６に相対する第２面取部２０とが形成されている。【選択図】図２
2018088382.tif 000002
【特許請求の範囲】
【請求項１】
複数の端子を抜け止め係止し、且つ、工具を挿入することで前記端子を抜き取ることが可能なコネクタであり、
前面と、前記前面と対向する後面と、前記前面と前記後面との間に形成された第１側面と、前記前面と前記後面との間に形成されて前記第１側面と対向する第２側面と、を有するハウジング本体と、
前記ハウジング本体の前記前面側から前記端子を受け入れ、且つ、前記端子が挿入される方向と直交する方向に配列された複数の端子収納室と、
前記端子収納室に挿入される前記端子を係止する複数の係止部と、
前記ハウジング本体の前記後面に形成され、前記端子を個別に抜き取る際に前記工具が挿入される第１開口部と、
前記ハウジング本体の前記第１側面に形成され、複数の前記端子を一括して抜き取る際に前記工具が挿入される第２開口部と、を具備し、
前記係止部は、前記第１開口部に相対する第１面取部と、前記第２開口部に相対する第２面取部と、を有することを特徴とするコネクタ。
【請求項２】
前記第２面取部は、前記第２開口部を経由して前記工具が挿入される方向に対して傾斜していることを特徴とする請求項１に記載のコネクタ。
【請求項３】
各々の前記係止部に形成される前記第２面取部は、前記第２開口部から前記工具が挿入される方向に沿って配置されることを特徴とする請求項１または請求項２に記載のコネクタ。
【請求項４】
前記ハウジング本体の前記第２側面に形成され、前記工具を挿入することで複数の前記端子を一括して抜き取ることが可能である第３開口部と、を更に具備し、
前記係止部は、前記第３開口部に相対する第３面取部を有することを特徴とする請求項１から請求項３の何れかに記載のコネクタ。
【発明の詳細な説明】
【技術分野】
【０００１】
本発明は、コネクタに関し、特に、工具を挿入することで端子の個別な抜き取り及び一括した抜き取りを簡易に行うことが出来るコネクタに関する。
【背景技術】
【０００２】
車両等の各種機器では、配線を介して各構成部品を相互に電気的に接続している。また、この配線はコネクタを介して相互に接続されている。
【０００３】
一般的に、コネクタから端子を抜き取る作業は、工具をコネクタに差し込み、端子の係止を個別に解除することで行われていた。この抜き取りの作業性を向上するために、端子の抜き取りを一括で行うことが出来るコネクタが開発されている。
【０００４】
図８を参照して、複数の端子を一括して抜き取ることが出来るコネクタを説明する。このようなコネクタは、例えば特許文献１に記載されている。
【０００５】
この図に示すコネクタ１００は、ハウジング本体１０１に端子を収納する複数の端子収納室１０２が形成されており、ハウジング本体１０１に着脱自在に組み付けられた係止部材１０３にランス１０４が形成されている。端子収納室１０２に挿入された端子はランス１０４に係止される。
【０００６】
コネクタ１００から端子を抜き取る際には、係止部材１０３をハウジング本体１０１から取り外すと、全てのランス１０４が一括して端子収納室１０２から引き出されるので、全ての端子の係止を一括して外すことが出来る。
【先行技術文献】
【特許文献】
【０００７】
【特許文献１】特開２００８−１３０５１１号公報
【発明の概要】
【発明が解決しようとする課題】
【０００８】
しかしながら、上記した特許文献１に記載されたコネクタ１００では、端子の係止を一括して解除することは出来るが、端子の係止を個別に解除することは出来ない。従って、例えば、メンテナンスや部品交換等で、コネクタ１００で係止された特定の端子を個別に取り外す必要が生じたとしても、一旦は全ての端子の係止を解除しなければならないので、端子の取り扱いが煩雑となり、作業効率が悪化してしまう課題があった。
【０００９】
本発明は、上記の事情に鑑みてなされたものであり、その目的とするところは、容易に端子を個別に取り外すことが出来ると共に、複数の端子を容易に一括して取り外すこともできるコネクタを提供することにある。
【課題を解決するための手段】
【００１０】
本発明は、複数の端子を抜け止め係止し、且つ、工具を挿入することで前記端子を抜き取ることが可能なコネクタであり、前面と、前記前面と対向する後面と、前記前面と前記後面との間に形成された第１側面と、前記前面と前記後面との間に形成されて前記第１側面と対向する第２側面と、を有するハウジング本体と、前記ハウジング本体の前記前面側から前記端子を受け入れ、且つ、前記端子が挿入される方向と直交する方向に配列された複数の端子収納室と、前記端子収納室に挿入される前記端子を係止する複数の係止部と、前記ハウジング本体の前記後面に形成され、前記端子を個別に抜き取る際に前記工具が挿入される第１開口部と、前記ハウジング本体の前記第１側面に形成され、複数の前記端子を一括して抜き取る際に前記工具が挿入される第２開口部と、を具備し、前記係止部は、前記第１開口部に相対する第１面取部と、前記第２開口部に相対する第２面取部と、を有することを特徴とする。
【００１１】
また、本発明のコネクタによれば、前記第２面取部は、前記第２開口部を経由して前記工具が挿入される方向に対して傾斜していることを特徴とする。
【００１２】
また、本発明のコネクタによれば、各々の前記係止部に形成される前記第２面取部は、前記第２開口部から前記工具が挿入される方向に沿って配置されることを特徴とする。
【００１３】
また、本発明のコネクタによれば、前記ハウジング本体の前記第２側面に形成され、前記工具を挿入することで複数の前記端子を一括して抜き取ることが可能である第３開口部と、を更に具備し、前記係止部は、前記第３開口部に相対する第３面取部を有することを特徴とする。
【発明の効果】
【００１４】
本発明は、複数の端子を抜け止め係止し、且つ、工具を挿入することで前記端子を抜き取ることが可能なコネクタであり、前面と、前記前面と対向する後面と、前記前面と前記後面との間に形成された第１側面と、前記前面と前記後面との間に形成されて前記第１側面と対向する第２側面と、を有するハウジング本体と、前記ハウジング本体の前記前面側から前記端子を受け入れ、且つ、前記端子が挿入される方向と直交する方向に配列された複数の端子収納室と、前記端子収納室に挿入される前記端子を係止する複数の係止部と、前記ハウジング本体の前記後面に形成され、前記端子を個別に抜き取る際に前記工具が挿入される第１開口部と、前記ハウジング本体の前記第１側面に形成され、複数の前記端子を一括して抜き取る際に前記工具が挿入される第２開口部と、を具備し、前記係止部は、前記第１開口部に相対する第１面取部と、前記第２開口部に相対する第２面取部と、を有することを特徴とする。従って、第１開口部から工具をハウジング本体に挿入することで、工具の先端を第１面取部に接触させて係止部を変形させ、端子と係止部との係止を解除し、端子を個別に引き抜くことが出来る。また、第２開口部から工具を挿入することで、工具の先端を複数の第２面取部に順次接触させ、複数の係止部を変形させ、複数の端子と係止部との係止を解除し、複数の端子を一括して引き抜くことが出来る。よって、本発明のコネクタによれば、端子の個別な抜き取り、および、端子の一括抜き取りを容易に行うことができる。
【００１５】
また、本発明のコネクタによれば、前記第２面取部は、前記第２開口部を経由して前記工具が挿入される方向に対して傾斜していることを特徴とする。従って、第２開口部から工具を挿入し、その工具の先端で係止部の第２面取部を押圧することで、係止部を端子から離れるように変形させ、係止部と端子との係止を解除し、端子を抜き取り可能な状態とすることが出来る。
【００１６】
また、本発明のコネクタによれば、各々の前記係止部に形成される前記第２面取部は、前記第２開口部から前記工具が挿入される方向に沿って配置されることを特徴とする。従って、第２開口部から工具を挿入することで、複数の係止部の第２面取部を順次押圧し、複数の係止部と端子との係止を解除することが出来る。
【００１７】
また、本発明のコネクタによれば、前記ハウジング本体の前記第２側面に形成され、前記工具を挿入することで複数の前記端子を一括して抜き取ることが可能である第３開口部と、を更に具備し、前記係止部は、前記第３開口部に相対する第３面取部を有することを特徴とする。従って、第３開口部から工具を挿入することで、各係止部の第３面取部を工具の先端で押圧し、端子から離れるように係止部を変形させ、係止部と端子との係止を一括的に解いて、端子を引き抜くことが出来る。即ち、複数の端子を一括して抜き取る際に、第２開口部から工具を挿入しても良いし、第３開口部から工具を挿入しても良い。
【図面の簡単な説明】
【００１８】
【図１】本発明の一実施形態に係るコネクタを示す図であり、（Ａ）はコネクタの斜視図であり、（Ｂ）はコネクタの断面図である。
【図２】本発明の一実施形態に係るコネクタを示す図であり、（Ａ）はコネクタの斜視図であり、（Ｂ）はコネクタの断面図であり、（Ｃ）は係止部の斜視図である。
【図３】本発明の一実施形態に係るコネクタを示す図であり、（Ａ）および（Ｂ）は工具を用いて端子と係止部との係止を個別に解く方法を示す断面図である。
【図４】本発明の一実施形態に係るコネクタを示す図であり、（Ａ）（Ｂ）および（Ｃ）は工具を用いて端子と係止部との係止を一括して解く方法を示す断面図である。
【図５】本発明の他の実施形態に係るコネクタを示す図であり、（Ａ）はコネクタの斜視図であり、（Ｂ）はコネクタの断面図である。
【図６】本発明の他の実施形態に係るコネクタを示す図であり、（Ａ）および（Ｂ）は工具を用いて端子と係止部との係止を一括して解く方法を示す断面図である。
【図７】本発明の更なる他の実施形態に係るコネクタを示す斜視図である。
【図８】背景技術に係るコネクタを示す図であり、（Ａ）は斜視図であり、（Ｂ）は断面図である。
【発明を実施するための形態】
【００１９】
以下、本発明の一実施形態に係るコネクタ１０を、図面に基づき詳細に説明する。以下の説明では、同一の部材には原則として同一の符番を用い、繰り返しの説明は省略する。また、以下の説明では上下前後左右の各方向を用い、前方とは後述する端子１１が挿入される方向であり、後方とは前方の逆方向である。また、左右とは、コネクタ１０を前方から見た場合の左右である。
【００２０】
図１を参照して、本形態のコネクタ１０の構成を説明する。図１（Ａ）はコネクタ１０を前方から見た場合の斜視図であり、図１（Ｂ）は図１（Ａ）のＢ−Ｂ断面における断面図である。この図に示すコネクタ１０は所謂雌型コネクタである。実際の使用状況下では、コネクタ１０の内部には、コネクタ１０の後面２９に形成された第１開口部１５から、ここでは図示しない雄型コネクタが挿入される。
【００２１】
図１（Ａ）を参照して、本形態のコネクタ１０は、後述する複数のケ−ブル２１の端部に接続された端子１１を抜け止め係止する。更に、コネクタ１０では、後述する工具１２を挿入することで、端子１１を個別に容易に抜き取ることができ、更に、複数の端子１１を一括して容易に抜き取ることもできる。コネクタ１０は、例えば、車両等に含まれる各種電気部品を電気的に接続するケ−ブル２１に介装される。
【００２２】
コネクタ１０は、ハウジング本体１８を有しており、コネクタ１０を構成する各部位はハウジング本体１８に形成されている。コネクタ１０は、射出成形された合成樹脂で一体的に形成されても良いし、射出成形された複数の部材を組み合わせることで構成されても良い。
【００２３】
ハウジング本体１８は、略直方体形状の外形形状を呈し、説明の便宜上、紙面に対して前方を向く前面２８と、後方を向く後面２９と、上方を向く上面３０と、下方を向く下面３１と、前面２８と後面２９との間に形成されて右方を向く右側面３２と、前面２８と後面２９との間に形成されて左方を向く左側面３３と、を有している。ここで、右側面３２が第１側面に対応し、左側面３３が第２側面に対応する。
【００２４】
ハウジング本体１８の前面２８を開口することで、複数の端子収納室１３が形成されている。端子収納室１３は、前方から挿入される後述する端子１１を受け入れる。よって、端子収納室１３は、挿入される端子１１の形状に即した空洞として形成され、例えば、略直方体形状の空洞として形成されている。ここでは、ハウジング本体１８の前面２８に、右方側から、端子収納室１３Ａ、１３Ｂ、１３Ｃ、１３Ｄが略等間隔に配列されている。端子収納室１３Ａ、１３Ｂ、１３Ｃ、１３Ｄが配列する方向は、端子１１が挿入される前後方向に直交する左右方向である。
【００２５】
ハウジング本体１８の後面２９を開口することで、第１開口部１５が形成されている。第１開口部１５は、図示しない雄型コネクタが後方からハウジング本体１８に挿入される為の開口部である。また、第１開口部１５を経由して、後方から後述する工具１２をハウジング本体１８の内部に挿入することで、端子収納室１３に挿入された端子１１の係止を個別に解除することができる。かかる事項は後述する。
【００２６】
ハウジング本体１８の右側面３２を部分的に開口することで、第２開口部１６が形成されている。第２開口部１６は、端子収納室１３Ａ等に収納された各端子１１の係止を一括して解くために工具１２が挿入される開口であり、その位置や大きさ等は後述する。
【００２７】
図１（Ｂ）を参照して、コネクタ１０の端子収納室１３には、前記前面２８の方向から端子１１が挿入されている。端子１１にはケ−ブル２１の端部が接続している。端子１１には、ここでは図示しない端子側電極がその表面に形成されている。端子１１を端子収納室１３に挿入して係止した際には、端子１１の端子側電極と、ここでは図示しない雄型コネクタとが、電気的に接続される。このようにすることで、端子１１が接続するケ−ブル２１と、他のケ−ブルや電子機器等とが接続される。
【００２８】
コネクタ１０の内部には、端子１１が挿入される位置に係止部１４が配設されている。係止部１４の前方側端部はコネクタ１０の前面２８と連続しており、係止部１４の後方側端部は変位が自在な自由端とされている。係止部１４は、コネクタ１０を構成する他の部材と同様に、可撓性を有する合成樹脂から構成される。よって、係止部１４は、前方側端部を固定端として、弾性変形および弾性復元することが可能とされている。かかる構成の係止部１４は、図１（Ａ）に示した端子収納室１３Ａ、１３Ｂ、１３Ｃ、１３Ｄの各々に対応して設けられる。
【００２９】
係止部１４の前後方向中間部を下方に向かって部分的に突出させることで係止爪２２が形成されている。また、端子１１が端子収納室１３に挿入された状態に於いて、係止爪２２に対応する端子１１の上面部分を下方に窪ませることで、爪受部２３が形成されている。係止部１４の係止爪２２の後方側面が、端子１１の爪受部２３の後方側面に接触することで、端子１１が端子収納室１３に抜け止め係止されている。
【００３０】
係止部１４の後方側端面の下方部分を面取することで、第１開口部１５に相対する第１面取部１９が形成されている。第１面取部１９は、後方に向かって上方に傾斜する傾斜面である。後述するように、第１面取部１９は、端子１１を個別に抜き取る際に、第１開口部１５から挿入された工具１２が接触する部位である。
【００３１】
端子１１をコネクタ１０に抜け止め係止する際には、コネクタ１０の端子収納室１３に、端子１１を前方から挿入する。その挿入に伴い、係止部１４が弾性変形および弾性復元することで、係止部１４の下面に形成された係止爪２２の後方側端部が、端子１１の上面に形成された爪受部２３の後方側端部に係止する。これにより、端子１１がコネクタ１０に抜け止め係止される。
【００３２】
図２を参照して、上記した端子収納室１３Ａ、１３Ｂ、１３Ｃ、１３Ｄに挿入された各端子１１を一括して抜き取るための構成を説明する。図２（Ａ）はコネクタ１０を示す斜視図であり、図２（Ｂ）は係止部１４を後方から見た図であり、図２（Ｃ）は係止部１４の後方部分を示す斜視図である。
【００３３】
図２（Ａ）を参照して、ハウジング本体１８の右側面３２を部分的に矩形状に開口することで第２開口部１６が形成されている。第２開口部１６の大きさは、端子１１を一括的に抜き取る際に用いる工具１２が挿入可能な程度とされている。第２開口部１６の前後方向に於ける位置、および、上下方向に於ける位置は、各係止部１４に形成される第２面取部２０と相対する位置とされる。
【００３４】
図２（Ｂ）を参照して、第２面取部２０は、第２開口部１６に相対する係止部１４の右方部分を部分的に面取することで形成されている。第２面取部２０は、第２開口部１６から工具１２が挿入される方向である左右方向から傾斜する傾斜面である。具体的には、第２面取部２０は、下方に向かって左方に傾斜する傾斜面として形成されている。換言すると、第２面取部２０は、下方に向かって第２開口部１６から遠ざかる傾斜面である。また、係止部１４の先端には、端子１１の個別な抜き取りを行うための第１面取部１９も形成されている。ここでは、第２面取部２０は、係止部１４の右方端部から左方端部まで形成されているが、係止部１４の右方部分のみに係止部１４を形成しても良い。第２面取部２０は平坦面でも良いし、湾曲面でも良い。また、図２（Ｃ）に示すように、第２面取部２０は、係止部１４の係止爪２２よりも前方部分に形成されている。
【００３５】
第２面取部２０を上記のような傾斜面とすることで、後述するように、第２開口部１６から挿入した工具１２が第２面取部２０を左方に押圧すると、その押圧力により係止部１４の先端部分が上方に弾性変形し、係止爪２２による端子１１との係止が解除されるようになる。
【００３６】
図３を参照して、工具１２を用いて端子１１を個別に抜き取る方法を説明する。図３（Ａ）および図３（Ｂ）は、端子１１を個別に抜き取る方法を示す断面図である。
【００３７】
図３（Ａ）を参照して、車両等のメンテナンスや部品交換等を行う際に、端子１１を個別に取り外す必要性が生じたら、メンテナンスを行う作業者は、先ず、ハウジング本体１８の第１開口部１５から、図示しない雄型コネクタを引き抜いて分離する。次に、第１開口部１５から工具１２をハウジング本体１８の内部に挿入する。工具１２は、例えば、先端部を尖らせた細長い鋼棒から成る。
【００３８】
次に、工具１２の先端部を、係止部１４の先端に形成された第１面取部１９に接触させる。上記したように、第１面取部１９は、上方に向かって後方に傾斜する傾斜面であるため、工具１２の先端部は確実に第１面取部１９に当接する。また、平坦面である端子１１の上面と、傾斜面である係止部１４の第１面取部１９との間には、間隙が形成されているため、この間隙に工具１２を挿入することで、工具１２の先端部を第１面取部１９に容易に当接できる。
【００３９】
図３（Ｂ）を参照して、次に、工具１２の先端部を第１面取部１９に当接させたまま、係止部１４の前方部分を上方に持ち上げる。例えば、端子１１の後端上面に形成された突起状の部位を支点にして、工具１２を反時計回りに回転させることで、テコの原理を用いて、工具１２の先端部で係止部１４の前方部分を上方に持ち上げることが出来る。
【００４０】
この際、係止爪２２が形成された係止部１４の後方部分は、上方に向かって弓状に弾性変形する。この結果、係止部１４の係止爪２２と、端子１１の爪受部２３との係止は解除される。この状態で端子１１をコネクタ１０から前方に引っ張ると、端子１１を端子収納室１３から抜き取ることが出来る。
【００４１】
端子１１の抜き取りが終了した後は、工具１２を係止部１４から離す。そのようにすると、係止部１４の形状は弾性復元する。メンテナンス作業が終了した後は、端子１１を端子収納室１３に挿入すると、図１（Ｂ）に示したように、端子１１は係止部１４で係止された状態となる。更に、ハウジング本体１８の第１開口部１５から、図示しない雄型コネクタを挿入して嵌合することで、コネクタ１０を経由して各機器が接続された状態となる。
【００４２】
図４を参照して、次に、複数の端子１１を一括してコネクタ１０から抜き取る方法を説明する。図４（Ａ）、図４（Ｂ）および図４（Ｃ）は、端子１１を一括して抜き取る方法を逐次的に示す断面図であり、図１（Ａ）のＸ−Ｘ断面に対応している。尚、抜き取りを行うまでは、図１（Ｂ）に示したように、係止部１４Ａ等は端子１１を抜け止め係止している。
【００４３】
図４（Ａ）を参照して、係止部１４Ａ、１４Ｂ、１４Ｃおよび１４Ｄで係止している端子１１を、一括してコネクタ１０から抜き取る方法を説明する。この図では、係止部１４Ａ等が係止する端子１１を図示していない。
【００４４】
ここでは、係止部１４Ａ等の各々に第２面取部２０が形成されている。係止部１４Ａ、１４Ｂ、１４Ｃおよび１４Ｄは上下方向に於いて同じ高さに配置されている。また、係止部１４Ａ等に形成される各第２面取部２０は、工具１２が挿入される方向である左右方向に沿って配置されている。
【００４５】
更に、係止部１４Ａ等に形成される各第２面取部２０は、右側面３２に形成される第２開口部１６に相対している。換言すると、第２開口部１６は、各第２面取部２０の下端よりも上方であり、且つ、各第２面取部２０の上端よりも下方に形成されている。このようにすることで、後述するように、第２開口部１６から挿入される工具１２を、係止部１４Ａ等の各第２面取部２０に当接させ、係止部１４Ａ等による係止を解除することが出来る。
【００４６】
複数の端子１１を一括して抜き取る為には、先ず、図示しない雄型コネクタをハウジング本体１８から分離させた後に、ハウジング本体１８の右側面３２に形成した第２開口部１６から、ハウジング本体１８の内部に工具１２を挿入する。そのようにすると、工具１２の先端部は、右端に配置された係止部１４Ａの第２面取部２０に当接する。
【００４７】
図４（Ｂ）を参照して、工具１２を更に左方に挿入すると、工具１２の先端部が第２面取部２０に摺動しつつ移動することで、係止部１４Ａの前方部分は上方に湾曲するように弾性変形する。即ち、係止部１４Ａは、図３（Ｂ）に示した係止部１４の如く変形し、係止部１４Ａと端子１１との係止が解除される。
【００４８】
図４（Ｃ）を参照して、次に、工具１２を更に挿入することで、係止部１４Ｂ、１４Ｃ、１４Ｄの第２面取部２０を順次押圧する。これにより、係止部１４Ｂ、１４Ｃ、１４Ｄの順番で、逐次的に各端子１１との係止が解除される。工具１２は、その先端部が左側面３３の内側面に当接するまで挿入されても良い。
【００４９】
上記のように、各係止部１４Ａ等と、各々の端子１１との係止が全て解除されたら、図３（Ｂ）を参照して、各端子１１をハウジング本体１８の端子収納室１３から引き抜くことが出来る。その後、メンテナンス作業が終了したら、各端子１１を対応する端子収納室１３に挿入することで、各係止部１４Ａ等で端子１１が抜け止め係止される。更に、ハウジング本体１８の第１開口部１５から、図示しない雄型コネクタを挿入して嵌合することで、コネクタ１０を経由して各機器が接続された状態となる。
【００５０】
上記のように、本形態のコネクタ１０によれば、メンテナンス等を実施する時に、端子１１を個別に引き抜く際には、図３に示したように、ハウジング本体１８の後面２９に形成された第１開口部１５から工具１２を挿入することで、一つの端子１１の係止を簡易に解除することができる。一方、複数の端子１１を一括して抜き取る際には、図４に示したように、ハウジング本体１８の側面に形成された第２開口部１６から工具１２を挿入することで、複数の係止部１４Ａ等と端子１１との係止を一括して解除することができる。よって、本形態のコネクタ１０では、端子１１の個別な抜き取りを容易に実施でき、更に、端子１１の一括的な抜き取りをも容易に実施できるので、メンテナンス等に於ける作業性を向上させることができる。
【００５１】
次に、図５を参照して、コネクタ１０の他の形態を説明する。図５（Ａ）はコネクタ１０を示す斜視図であり、図５（Ｂ）は図５（Ａ）のＢ−Ｂ断面における断面図である。この図に示すコネクタ１０の構成は図１に示したものと基本的には同様であり、左側面３３に第３開口部１７を有する点が異なる。
【００５２】
図５（Ａ）を参照して、ここでは、右側面３２に第２開口部１６が形成されているのに加えて、左側面３３にも第３開口部１７が形成されている。第３開口部１７の上下方向および前後方向に於ける位置、形状、並びに大きさは、第２開口部１６と同様で良い。
【００５３】
図５（Ｂ）を参照して、各係止部１４Ａ、１４Ｂ、１４Ｃ、１４Ｄには、第２面取部２０Ａおよび第３面取部２０Ｂが形成されている。
【００５４】
第２面取部２０Ａは、各係止部１４Ａ等の右方部分を面取することで形成され、下方に向かって左側に傾斜する傾斜面である。第２面取部２０Ａは、右側面３２に形成される第２開口部１６に相対し、後述するように、第２開口部１６から挿入される工具１２の先端部は第２面取部２０Ａに接触する。
【００５５】
第３面取部２０Ｂは、各係止部１４Ａ等の左方部分を面取することで形成され、下方に向かって右側に傾斜する傾斜面である。第３面取部２０Ｂは、左側面３３に形成される第３開口部１７に相対し、後述するように、第３開口部１７から挿入される工具１２の先端部は第３面取部２０Ｂに接触する。
【００５６】
図６を参照して、上記した構成のコネクタ１０に於いて、各係止部１４Ａ等と端子１１との係止を一括して解除する方法を説明する。図６（Ａ）は右側面３２に形成された第２開口部１６から工具１２を挿入して係止部１４Ａ等の係止を一括して解く方法を示し、図６（Ｂ）は左側面３３に形成された第３開口部１７から工具１２を挿入して係止部１４Ａ等の係止を一括して解く方法を示している。図６（Ａ）および図６（Ｂ）は、図１（Ａ）のＸ−Ｘ断面に対応している。
【００５７】
図６（Ａ）を参照して、先ず、ハウジング本体１８の右側面３２に形成された第２開口部１６から、ハウジング本体１８の内部に工具１２を挿入する。そのようにすると、工具１２の先端部は、右端に配置された係止部１４Ａの第２面取部２０Ａに当接する。その後、工具１２を更に左方に挿入すると、係止部１４Ａの先端部分は上方に弾性変形する。この状態で、図３（Ｂ）に示す場合と同様に、係止部１４Ａと端子１１との係止は解かれている。ここでは、工具１２を更に左方に挿入し、係止部１４Ａおよび係止部１４Ｂの先端部を上方に弾性変形させ、係止部１４Ａおよび係止部１４Ｂと端子１１との係止が解かれている状態を示している。工具１２を左側面３３まで到達させると、係止部１４Ａ、１４Ｂ、１４Ｃ、１４Ｄの先端部が上方に弾性変形されて端子１１との係止が解除される。
【００５８】
図６（Ｂ）を参照して、工具１２を左側面３３の第３開口部１７からハウジング本体１８の内部に挿入することで、係止部１４Ａ等と端子１１との係止を一括して解除する方法を説明する。先ず、ハウジング本体１８の左側面３３に形成した第３開口部１７から、ハウジング本体１８の内部に工具１２を挿入すると、左端に配置された係止部１４Ｄの第３面取部２０Ｂに工具１２の先端部が当接する。その後、工具１２を更に右方に挿入すると、係止部１４Ｄの先端部分は上方に弾性変形する。この状態で、係止部１４Ｄと端子１１との係止は解かれている。ここでは、工具１２を更に右方に挿入し、係止部１４Ｄおよび係止部１４Ｃの先端部を上方に弾性変形させ、係止部１４Ｄおよび係止部１４Ｃと端子１１との係止が解かれている状態を示している。工具１２を右側面３２まで到達させると、係止部１４Ａ、１４Ｂ、１４Ｃ、１４Ｄの先端部が上方に弾性変形することで端子１１との係止が解除される。
【００５９】
上記したコネクタ１０では、右側面３２に第２開口部１６を形成すると共に、左側面３３にも第３開口部１７を形成し、係止部１４Ａ等に第２面取部２０Ａおよび第３面取部２０Ｂを形成している。よって、右方側の第２開口部１６から工具１２を挿入することによって係止部１４等の係止を一括して解除でき、更に、左方側の第３開口部１７から工具１２を挿入することによっても係止部１４等の係止を一括して解除できる。従って、コネクタ１０から端子１１を一括して抜き取る際の作業の自由度を向上させることが出来る。
【００６０】
図７の斜視図を参照して、コネクタ１０の更なる他の形態を説明する。この図に示すコネクタ１０の基本的な構成は図１に示したものと同様であり、ここでは、ハウジング本体１８の前面２８に、下段の端子収納室１３Ａ、１３Ｂ、１３Ｃ、１３Ｄに加えて、上段の端子収納室４０Ａ、４０Ｂ、４０Ｃ、４０Ｄが形成されている。上段の端子収納室４０Ａ、４０Ｂ、４０Ｃ、４０Ｄにも、図１（Ｂ）等に示したように、挿入された端子１１を係止するための係止部１４が形成されている。従って、この図に示すコネクタ１０は、より多数の端子１１を受け入れることが出来る。
【００６１】
更にここでは、右側面３２に第２開口部１６Ａ、１６Ｂが形成されている。第２開口部１６Ａは、下段の端子収納室１３Ａ等に挿入係止された端子１１の係止を一括して解くための開口部である。第２開口部１６Ｂは、図２（Ｂ）に示す如く、端子収納室１３Ａ等に対応して形成された係止部１４の第２面取部２０に相対している。第２開口部１６Ｂは、上段の端子収納室４０Ａ等に挿入係止された端子１１の係止を一括して解くために、工具１２が挿入される開口部である。
【００６２】
このように、端子収納室１３Ａ等および端子収納室４０Ａ等を上下方向に多段に形成し、それぞれの側方に第２開口部１６Ａ、１６Ｂを形成することで、端子収納室１３Ａ等に挿入係止された端子１１を一括して抜き取ることができ、更に、端子収納室４０Ａ等に挿入係止された端子１１を一括して抜き取ることができる。また、前記第３開口部１７に対しても、前記第２開口部１６と同様に、前記第２開口部１６Ａ、１６Ｂに相当する第３開口部を構成しても良い。
【００６３】
以上、本発明の実施形態を示したが、本発明は、上記実施形態に限定されるものではない。
【符号の説明】
【００６４】
１０   コネクタ
１１   端子
１２   工具
１３，１３Ａ，１３Ｂ，１３Ｃ，１３Ｄ    端子収納室
１４，１４Ａ，１４Ｂ，１４Ｃ，１４Ｄ    係止部
１５   第１開口部
１６、１６Ａ、１６Ｂ 第２開口部
１７   第３開口部
１８   ハウジング本体
１９   第１面取部
２０，２０Ａ  第２面取部
２０Ｂ 第３面取部
２１   ケ−ブル
２２   係止爪
２３   爪受部
２８   前面
２９   後面
３０   上面
３１   下面
３２   右側面
３３   左側面
４０，４０Ａ，４０Ｂ，４０Ｃ，４０Ｄ   端子収納室
１００ コネクタ
１０１ ハウジング本体
１０２ 端子収納室
１０３ 係止部材
１０４ ランス
【図１】
2018088382.tif 000003
【図２】
2018088382.tif 000004
【図３】
2018088382.tif 000005
【図４】
2018088382.tif 000006
【図５】
2018088382.tif 000007
【図６】
2018088382.tif 000008
【図７】
2018088382.tif 000009
【図８】
2018088382.tif 000010
【手続補正書】
【提出日】平成28年12月2日(2016.12.2)
【手続補正１】
【補正対象書類名】図面
【補正対象項目名】図１
【補正方法】変更
【補正の内容】
【図１】
2018088382.tif 000011
【手続補正２】
【補正対象書類名】図面
【補正対象項目名】図３
【補正方法】変更
【補正の内容】
【図３】
2018088382.tif 000012